(57)【要約】      （修正有）【課題】雷対策用のコイルを内蔵し、高周波機器の薄型化を可能にする同軸コネクタ及び同軸コネクタを備える高周波機器を提供する。【解決手段】同軸コネクタ１６は、円筒形状の外部導体１８と、外部導体１８の内部を外部導体１８の軸心に沿って延びる中心導体２２と、外部導体１８と同心に配置され、中心導体２２及び外部導体１８に電気的に接続された雷対策用のコイル２８とを備える。雷により中心導体２２に流れた大電流はコイル２８を経由して外部導体１８そして接地電極へと流れ、内部回路は大電流から保護される。【選択図】図２
2011141971.tif 000002
【特許請求の範囲】
【請求項１】
円筒形状の外部導体と、
前記外部導体の内部を前記外部導体の軸心に沿って延びる中心導体と、
前記外部導体と同心に配置され、前記中心導体及び前記外部導体に電気的に接続されたコイルと
を備えることを特徴とする同軸コネクタ。
【請求項２】
前記コイルは前記外部導体の径方向内側に配置され、
前記外部導体の径方向でみて、前記コイル及び前記中心導体は相互に離間している
ことを特徴とする請求項１記載の同軸コネクタ。
【請求項３】
前記外部導体の内側に同心にて配置され、絶縁性を有する円筒形状の円筒部材を更に備え、
前記コイルの一端から一体に延びるリード線の先端側は、前記外部導体及び前記円筒部材によって挟まれている
ことを特徴とする請求項２記載の同軸コネクタ。
【請求項４】
前記外部導体の外周面には鍔部及び螺子溝が設けられ、
前記コイルの一端から一体に延びるリード線の先端側は、前記螺子溝にねじ込まれるナット及び前記鍔部によって挟まれている
ことを特徴とする請求項２記載の同軸コネクタ。
【請求項５】
前記コイルは、前記外部導体の径方向外側に配置されていることを特徴とする請求項１記載の同軸コネクタ。
【請求項６】
前記コイルは、樹脂製の円筒形状のボビンと一体に成形され、
前記ボビンは、前記外部導体に嵌められている
ことを特徴とする請求項５記載の同軸コネクタ。
【請求項７】
前記外部導体はスリットを有し、
前記コイルの一端から一体に延びるリード線は、前記スリットを通じて前記中心導体まで延びている
ことを特徴とする請求項６記載の同軸コネクタ。
【請求項８】
請求項１乃至７の何れか一項に記載の同軸コネクタを備える高周波機器。
【発明の詳細な説明】
【技術分野】
【０００１】
本発明は同軸コネクタ及び同軸コネクタを備える高周波機器に関する。
【背景技術】
【０００２】
テレビチューナ等の高周波機器には、同軸ケーブルを介してアンテナが接続される。受信された電波は電気信号に変換され、電気信号は復調されて映像信号に変換される。
高周波機器と同軸ケーブルの接続には、Ｆコネクタ等の同軸コネクタが使用される。同軸コネクタは、中心導体と、中心導体を囲む円筒形状の外部導体を有する。中心導体は電気信号のための経路であり、外部導体は、高周波機器に設けられた接地電極に電気的に接続される。
【０００３】
そして、高周波機器には、雷が近傍に落ちたときに発生する高圧対策（落雷対策）用に空芯コイルを内蔵しているものがある（例えば特許文献１参照）。空芯コイルは、高周波機器内に設けられた電気回路の入力側に位置し、電気回路の信号線と接地電極とを接続する。
空芯コイルは、高周波の電気信号は通さず、雷による高圧の直流のみを接地電極に流す。これにより、高周波機器の電気回路が高圧による破壊から保護される。
【先行技術文献】
【特許文献】
【０００４】
【特許文献１】特開２００５−１０９７９９号公報
【発明の概要】
【発明が解決しようとする課題】
【０００５】
高周波機器に内蔵される雷対策用の空芯コイルは、大電流を流すために太い導線からなり、そして、インダクタンスを大きくするために、大きな断面積を有する。このため、雷対策用の空芯コイルは大型にならざるを得ない。このような雷対策用の空芯コイルを内蔵する高周波機器においては、空芯コイルの大きさによって、高周波機器の薄型化が制限されている。
【０００６】
本発明は上記した事情に鑑みてなされ、その目的とするところは、雷対策用のコイルを内蔵し、高周波機器の薄型化を可能にする同軸コネクタ及び該同軸コネクタを備える高周波機器を提供することにある。
【課題を解決するための手段】
【０００７】
上記の課題を解決するため、本発明は以下の解決手段を採用する。
【０００８】
解決手段１：本発明の一態様によれば、円筒形状の外部導体と、前記外部導体の内部を前記外部導体の軸心に沿って延びる中心導体と、前記外部導体と同心に配置され、前記中心導体及び前記外部導体に電気的に接続されたコイルとを備えることを特徴とする同軸コネクタが提供される。
【０００９】
解決手段１の同軸コネクタは、中心導体及び外部導体に電気的に接続されたコイルを備えている。このコイルは、雷により大電流が中心導体に流れ込んだときに、中心導体から外部導体へと電流を逃がす。
一方、このコイルは、外部導体と同心に配置され、大きな断面積を有する。このため、このコイルは大きなインダクタンスを有し、高周波の電気信号に対して大きなインピーダンスを有する。従って、中心導体を高周波の電気信号が流れているときに、電気信号が外部導体に逃げてしまうことが防止される。
【００１０】
従って、この同軸コネクタを高周波機器の入力端子に適用した場合、雷により中心導体に流れ込んだ大電流は、コイルを経由して、外部導体そして接地電極へと流れ、内部回路は大電流から保護される。また、中心導体を流れる高周波の電気信号は、コイルには流れ込まず、そのまま高周波機器の内部回路に入力される。
その上、このコイルが適用された高周波機器においては、高周波機器の筐体の内部に雷対策用のコイルを設置する必要がなく、高周波機器の筐体の薄型化が図られる。
【００１１】
解決手段２：好ましくは、前記コイルは前記外部導体の径方向内側に配置され、前記外部導体の径方向でみて、前記コイル及び前記中心導体は相互に離間している。
解決手段２の同軸コネクタでは、コイルが外部導体の径方向内側に配置されていても、コイルが中心導体から離れており、コイルの断面積が可及的に大きく設定される。この結果として、コイルは大きなインダクタンスを有し、コイルに高周波の電気信号が流れ込むことが確実に防止される。
【００１２】
解決手段３：好ましくは、前記外部導体の内側に同心にて配置され、絶縁性を有する円筒形状の円筒部材を更に備え、前記コイルの一端から一体に延びるリード線の先端側は、前記外部導体及び前記円筒部材によって挟まれている。
解決手段３の同軸コネクタでは、コイルから延びるリード線の先端側を外部導体と円筒部材とで挟むことによって、簡単な構成にて、コイルが外部導体に電気的に接続される。
【００１３】
解決手段４：好ましくは、前記外部導体の外周面には鍔部及び螺子溝が設けられ、前記コイルの一端から一体に延びるリード線の先端側は、前記螺子溝にねじ込まれるナット及び前記鍔部によって挟まれている。
解決手段４の同軸コネクタでは、コイルから延びるリード線の先端側をナットと鍔部とで挟むことによって、簡単な構成にて、コイルが外部導体に電気的に接続される。
【００１４】
解決手段５：好ましくは、前記コイルは、前記外部導体の径方向外側に配置されている。
解決手段５の同軸コネクタでは、コイルが外部導体の外側に配置され、コイルの断面積が可及的に大きく設定される。この結果として、コイルは大きなインダクタンスを有し、コイルに高周波の電気信号が流れ込むことが確実に防止される。
【００１５】
解決手段６：好ましくは、前記コイルは、樹脂製の円筒形状のボビンと一体に成形され、前記ボビンは、前記外部導体に嵌められている。
解決手段６の同軸コネクタによれば、ボビンを外部導体に嵌めることによって、コイルが外部導体に対して容易に固定される。
【００１６】
解決手段７：好ましくは、前記外部導体はスリットを有し、前記コイルの一端から一体に延びるリード線は、前記スリットを通じて前記中心導体まで延びている。
解決手段７の同軸コネクタにおいては、外部導体にスリットを設け、スリットにリード線を通すことで、リード線の配線が容易である。
【００１７】
解決手段８：本発明の他の態様によれば、解決手段１乃至７の何れか一項に記載の同軸コネクタを備えることを特徴とする高周波機器が提供される。
解決手段８の高周波機器においては、雷により同軸コネクタの中心導体に流れ込んだ大電流は、コイルを経由して、外部導体そして接地電極へと流れ、内部回路は大電流から保護される。また、中心導体を流れる高周波の電気信号は、コイルには流れ込まず、そのまま高周波機器の内部回路に入力される。
その上、この高周波機器においては、高周波機器の筐体の内部に雷対策用のコイルを設置する必要がなく、高周波機器の筐体の薄型化が図られる。
【発明の効果】
【００１８】
本発明によれば、雷対策用のコイルを内蔵し、高周波機器の薄型化を可能にする同軸コネクタ及び該同軸コネクタを備える高周波機器が提供される。
【図面の簡単な説明】
【００１９】
【図１】第１実施形態に係るテレビチューナを概略的に示す斜視図である。
【図２】図１のテレビチューナに適用された同軸コネクタの概略的な断面図である。
【図３】図２のIII-III線に沿う断面図である。
【図４】図２の同軸コネクタの組み立て工程を説明するための図であり、相互に連結される前の中心導体とコイルを示す斜視図である。
【図５】図２の同軸コネクタの組み立て工程を説明するための図であり、絶縁部材に挿入された中心導体とコイルを示す断面図である。
【図６】図２の同軸コネクタの組み立て工程を説明するための図であり、外部導体に挿入された中心導体、コイル及び絶縁部材を示す断面図である。
【図７】図１のテレビチューナの概略的な電気回路を示す図である。
【図８】図１の同軸コネクタにおける電気信号の利得の周波数依存性を示すグラフである。
【図９】第２実施形態に係る同軸コネクタの概略的な断面図である。
【図１０】図９の同軸コネクタに適用された外部導体及びナットの斜視図である。
【図１１】第３実施形態に係る同軸コネクタの概略的な斜視図である。
【図１２】図１１の同軸コネクタの概略的な断面図である。
【図１３】図１１の同軸コネクタに適用されたボビン及びコイルを半分にして示す斜視図である。
【発明を実施するための形態】
【００２０】
以下、本発明の実施形態について図面を参照しながら説明する。
【００２１】
〔第１実施形態〕
図１は、第１実施形態に係る高周波機器としてのテレビチューナ１０を概略的に示す斜視図である。テレビチューナ１０は、例えば液晶テレビ等の薄型の画像表示装置に内蔵され、画像表示装置のセット基板に実装される。
【００２２】
テレビチューナ１０は、扁平な箱形状の筐体１２を有し、筐体１２の内部には、図示しないけれども、ＩＣチップ等が実装された回路基板が設置されている。筐体１２の相互に対向する広い面は、金属製のカバー１２ａ，１２ｂによって構成され、筐体１２の側面は、金属製の枠部材１２ｃによって構成されている。カバー１２ａ，１２ｂは枠部材１２ｃに固定され、筐体１２は、シールドケースとしての機能を有する。
【００２３】
枠部材１２ｃの一つの面からは、複数の端子１４が突出している。端子１４は、画像表示装置のセット基板に設けられたコネクタに接続される。
また、枠部材１２ｃの他の面からは、高周波用の同軸コネクタ１６が突出している。同軸コネクタ１６は、アンテナ入力端子であり、外部のアンテナと同軸ケーブルを介して電気的に接続される。
【００２４】
同軸コネクタ１６は、例えばＦ型コネクタのレセプタクルであり、図２及び図３に概略的に示される構成を有する。同軸コネクタ１６には、同軸ケーブルの端部に取り付けられるＦ型コネクタのプラグが、脱離可能に接続される。
具体的には、同軸コネクタ１６は、円筒形状の金属製の外部導体１８を有し、Ｆ型コネクタのプラグの金属製の外筒が、外部導体１８の外周面に接触させられる。
外部導体１８の外側には、外向きの鍔部１９が一体に形成されている。鍔部１９は、同軸コネクタ１６の根元側に位置し、枠部材１２ｃに対して同軸コネクタ１６を固定するために利用される。
【００２５】
外部導体１８の内側には、円筒形状の絶縁部材２０が同心にて配置され、そして嵌合させられている。外部導体１８及び絶縁部材２０の内側には、金属製の中心導体２２が配置されている。中心導体２２は、外部導体１８の内側を、外部導体１８の軸心に沿って延びている。
より詳しくは、中心導体２２は、相互に一体のコンタクト部２４とリード部２６とからなり、コンタクト部２４は、絶縁部材２０の内側にて、同軸コネクタ１６の先端側に位置している。
コンタクト部２４は、相互に対向する２つの爪２４ａ，２４ｂを有し、爪２４ａ，２４ｂ同士は根元で繋がっている。爪２４ａ，２４ｂの先端側は、弾性変形することによって、Ｆ型コネクタのプラグのセンターピンを受け入れ、そして、適当な圧力をもって挟む。
【００２６】
リード部２６は帯形状を有し、外部導体１８内のリード部２６の部分は、外部導体１８の径方向中心を軸線方向に延びている。そして、リード部２６は、外部導体１８の根元側の開口を通じて外部へと延びている。リード部２６は、例えば、外部導体１８の外側にて折曲げられ、リード部２６の先端が、筐体１２内の回路基板に設けられた所定のランド部に半田付けされる。
【００２７】
更に、同軸コネクタ１６はコイル２８を有し、本実施形態では、コイル２８は、外部導体１８及び絶縁部材２０の径方向内側に同心にて配置されている。コイル２８は外部導体１８の根元側に片寄って配置され、コイル２８の一端は、絶縁部材２０の開口端の近傍に位置している。コイル２８は、中心導体２２のリード部２６の一部を囲んでおり、言い換えれば、中心導体２２はコイル２８を貫通している。
【００２８】
コイル２８は、断面積が一定の円筒形状を有する。コイル２８は、例えば、３．０ｍｍ以上４．０ｍｍ以下の外径を有し、４．０ｍｍ以上６．０ｍｍ以下の長さを有する。コイル２８の外径は、絶縁部材２０の内径よりも僅かに小さい程度であり、絶縁部材２０の径方向でみて、コイル２８は絶縁部材２０の近傍に配置されている。一方、リード部２６は、コイル２８の径方向内側の空間を貫通しており、コイル２８とリード部２６との間には、略円筒形状の空間が確保されている。
また、コイル２８は、絶縁被覆された導線を螺旋状に巻回して形成されている。導線の直径は、例えば０．３ｍｍ以上０．４５ｍｍ以下であり、導線の巻回数は、例えば１０回以上１５回以下である。
【００２９】
外部導体１８の先端側に位置付けられたコイル２８の端部からは、リード線３０が一体に延びている。リード線３０は、Ｌ字形状に折り曲げられており、コイル２８の径方向中央に向けて延びてから、コンタクト部２４に向けてコイル２８の軸線方向に延びている。
リード線３０の先端側は、爪２４ａ，２４ｂの根元によって挟まれている。爪２４ａ，２４ｂの根元には、リード線３０の先端を挟んだ状態でかしめ加工が施され、中心導体２２はリード線３０に対して圧着されている。これにより、中心導体２２とリード線３０との間の導通が確保されている。
【００３０】
外部導体１８の根元側に位置付けられたコイル２８の端部からは、リード線３２が一体に延びている。
ここで、外部導体１８の根元側に位置する絶縁部材２０の端部では、段差を存して外径が縮小されている。このため、外部導体１８の内周面と絶縁部材２０の端部の外周面との間には、環状の空間３４が形成されている。
そして、外部導体１８の根元側の内側には、金属製の蓋部材３６が配置されている。蓋部材３６は、相互に一体の円板部３８と円筒部４０を有する。
円板部３８は、外部導体１８の内径よりも僅かに大きな直径を有しており、外部導体１８内に圧入されて、絶縁部材２０の端部近傍に固定される。円板部３８の中央には孔が設けられており、この孔を通じてリード部２６は延びている。
【００３１】
円筒部４０の内径は、絶縁部材２０の端部の外径よりも大きく、円筒部４０の外径は、外部導体１８の内径よりも小さい。円筒部４０は、円板部３８から絶縁部材２０に向かって延びており、円板部３８が固定された状態では、円筒部４０の先端側が空間３４内に同心にて挿入されている。
リード線３２は、コイル２８から径方向外側に向かって延び、絶縁部材２０の開口縁で円筒部４０の軸線方向に沿うように約９０度折り曲げられ、そして、円筒部４０の開口縁で約１８０度折り返されている。従って、リード線３２の先端側は、空間３４内に折りたたまれた状態で収容されている。リード線３２の先端側は、円筒部４０によって外部導体１８に圧接させられ、これによって外部導体１８とリード線３２との間の導通が確保されている。
【００３２】
図４乃至図６は、同軸コネクタ１６の組み立て工程を示している。
図４は、相互に連結される前のコイル２８と中心導体２２を示している。爪２４ａ，２４ｂの根元を折り曲げてかしめ加工を施すことにより、爪２４ａ，２４ｂの根元によってリード線３０が挟まれると同時に、爪２４ａ，２４ｂ同士が対向する。
【００３３】
相互に連結されたコイル２８及び中心導体２２は、図５に示したように、絶縁部材２０に挿入される。それから、リード線３２を折り曲げながら、コイル２８及び中心導体２２と共に、絶縁部材２０が外部導体１８に挿入される。
そして、外部導体１８に蓋部材３６を圧入して固定し、空間３４に挿入された円筒部４０によってリード線３０を外部導体１８に圧接して、図２に示す同軸コネクタ１６が組み立てられる。
なお、図５及び図６においては、コイル２８及び中心導体２２の断面ではなく側面が示されている。
【００３４】
図７は、アンテナが接続された状態におけるテレビチューナ１０の電気回路を示している。電気回路は、回路基板に実装されたＩＣチップや、コンデンサ等の電気部品等によって構成することができる。
より詳しくは、同軸コネクタ１６の中心導体２２のリード部２６は、コンデンサ４２を介して、同調部４４に接続されている。同調部４４は、選択された周波数を有する高周波の電波をアンテナと協働して受信し、受信した電波を受信信号として出力する。
【００３５】
同調部４４の出力側には、高周波増幅部４６が電気的に接続されている。高周波増幅部４６は、入力された受信信号を適当な増幅率にて増幅し、出力する。
高周波増幅部４６の出力側には、周波数混合部４８が電気的に接続されている。また、周波数混合部４８は、所定周波数の信号（局部発振信号）を出力する局部発振部５０に接続されている。周波数混合部４８は、入力された受信信号と局部周波数信号とを混合し、中間周波数信号を生成する。
【００３６】
周波数混合部４８の出力側には、中間周波数増幅部５２が接続されている。中間周波数増幅部５２は、入力された中間周波数信号を増幅して出力する。増幅された中間周波数信号は、端子１４を通じて外部に出力される。中間周波数信号は、外部の復調部によって画像信号に変換され、画像信号に対応する画像が画像表示装置に映し出される。
【００３７】
一方、同軸コネクタ１６の外部導体１８は、筐体１２若しくは回路基板を通じて接地されている。
ここで、コイル２８は、中心導体２２と外部導体１８とを電気的に接続しており、中心導体２２は、コイル２８及び外部導体１８を介して接地されている。
【００３８】
上述した第１実施形態によれば、同軸コネクタ１６は、中心導体２２及び外部導体１８に電気的に接続されたコイル２８を備えている。コイル２８は、雷により大電流が中心導体２２に流れ込んだときに、中心導体２２から外部導体１８へと電流を逃がす。
一方、コイル２８は、外部導体１８と同心に配置され、大きな断面積を有する。このため、コイル２８は大きなインダクタンスを有し、高周波の電気信号に対して大きなインピーダンスを有する。従って、中心導体２２を高周波の電気信号が流れているときに、電気信号が外部導体１８に逃げてしまうことが防止される。
ここで、図７は、同軸コネクタ１６における高周波信号の利得の周波数依存性を示している。図７から、コイル２８が設けられていても、テレビ放送の電波の周波数帯である５０Ｍｚ〜１ＧＨｚの高周波信号が殆ど減衰しないことがわかる。
【００３９】
従って、同軸コネクタ１６が適用されたテレビチューナ１０では、雷により中心導体２２に流れ込んだ大電流は、コイル２８を経由して、外部導体１８そして接地電極へと流れ、内部回路は大電流から保護される。また、中心導体２２を流れる高周波の電気信号は、コイル２８には流れ込まず、そのまま高周波機器の内部回路に入力される。
その上、コイル２８が適用されたテレビチューナ１０においては、筐体１２の内部に雷対策用のコイルを設置する必要がなく、筐体１２の薄型化が可能である。
【００４０】
そして、同軸コネクタ１６では、コイル２８が外部導体１８の内側に配置されていても、コイル２８が中心導体２２から離れており、コイル２８の断面積が可及的に大きく設定される。この結果として、コイル２８は大きなインダクタンスを有し、コイル２８に高周波の電気信号が流れ込むことが確実に防止される。
【００４１】
また、同軸コネクタ１６では、コイル２８から延びるリード線３２の先端側を外部導体１８と蓋部材３６の円筒部４０とで挟むことによって、簡単な構成にて、コイル２８が外部導体１８に電気的に接続される。
［第２実施形態］
以下、第２実施形態に係る同軸コネクタ６０について説明する。なお、第１実施形態と同じ機能を有する部材には、同じ符号を付して説明を省略する。
図９は、同軸コネクタ６０の概略的な縦断面図であり、図１０は、同軸コネクタ６０に用いられる外部導体１８と金属製のナット６２を示す斜視図である。同軸コネクタ６０では蓋部材３６は省略され、外部導体１８に、スリット６４と螺子溝６６が形成されている。スリット６４は、外部導体１８の根元側の開口から、外部導体１８の軸線方向にて鍔部１９を超えるまで延びている。螺子溝６６は、外部導体１８の外周面の鍔部１９近傍に形成され、鍔部１９に対し外部導体１８の先端側に位置している。
【００４２】
リード線３２は、スリット６４を通じて外部導体１８の外側まで延び、スリットの縁で、外部導体１８の周方向に沿って曲げられている。ナット６２が、螺子溝６６に螺子込まれると、リード線３２の先端側は、ナット６２と鍔部１９によって挟まれ、これにより、リード線３２と外部導体１８の導通が確保される。
【００４３】
第２実施形態の同軸コネクタ６０では、コイル２８から延びるリード線３２の先端側をナット６２と鍔部１９とで挟むことによって、簡単な構成にて、コイル２８が外部導体１８に電気的に接続される。
【００４４】
［第３実施形態］
以下、第３実施形態に係る同軸コネクタ７０について説明する。
図１１は、同軸コネクタ７０の概略的な斜視図であり、図１２は、同軸コネクタ７０の概略的な縦断面図である。同軸コネクタ７０はＩＥＣ規格のコネクタ（ＩＥＣコネクタ）のレセプタクルである。同軸コネクタ７０の外部導体７２は多段の円筒形状を有し、円柱形状の絶縁部材７４が外部導体７２の内側に固定されている。中心導体７６のコンタクト部７８は、外部導体７２よりも小径な円筒形状を有し、リード部８０は、絶縁部材７４を貫通している。
【００４５】
コイル８２は、外部導体７２と同心に配置されているが、本実施形態では、外部導体７２の径方向外側に配置されている。コイル８２は、好ましい態様として、樹脂製の円筒形状のボビン８４と一体に成形されており、ボビン８４は、外部導体７２の外周面に嵌合させられている。
コイル８２から一体に延びるリード線８６，８８のうち、外部導体７２の根元から遠い方のリード線８６は、外部導体７２に形成されたスリット９０を通じて外部導体７２の径方向中央に向けて延び、そして、リード部８０に沿うように折り曲げられて外部導体７２の根元側の開口に向かって延びている。リード線８６の先端は、リード部８０に対し、圧着用の金具９２を用いて固定されている。
【００４６】
また、外部導体７２の根元に近い方のリード線８８は、外部導体７２の外周面に沿って、且つ、外部導体７２の根元側の開口に向かって、外部導体７２の軸線方向に延び、そして、外部導体７２の根元近傍で、外部導体７２の周方向に曲げられている。リード線８８の先端は、環状の金具９４によって、外部導体７２に圧接させられている。
なお、図１３は、ボビン８４及びコイル８２を半分にして示しており、ボビン８４は、径方向内側に向けて突出する複数の突条８４ａを有する。各突条８４ａは、ボビン８４の軸線方向に延びており、これらの突条８４ａによって、ボビン８４が外部導体７２に対して固定される。
【００４７】
第３実施形態の同軸コネクタ７０では、コイル８２が外部導体７２の径方向外側に配置され、コイル８２の断面積が可及的に大きく設定される。この結果として、コイル８２は大きなインダクタンスを有し、コイル８２に高周波の電気信号が流れ込むことが確実に防止される。
【００４８】
そして、同軸コネクタ７０によれば、ボビン８４を外部導体７２に嵌めることによって、コイル８２が外部導体７２に対して容易に固定される。
更に、同軸コネクタ７０においては、外部導体７２にスリット９０を設け、スリット９０にリード線８６を通すことで、リード線８６の配線が容易である。
【００４９】
本発明は、上述した第１乃至第３実施形態に限定されることはなく、各実施形態に変形を加えた形態や、第１乃至第３実施形態を適宜組み合わせた形態も含む。
例えば、同軸コネクタ１６，６０，７０において、電気的な接続のために半田付けを行ってもよい。
最後に、本発明に係る同軸コネクタは、Ｆ型コネクタやＩＥＣコネクタ以外のものであってもよく、適用対象の高周波機器は、テレビチューナに限定されることはない。
【符号の説明】
【００５０】
１０                    テレビチューナ（高周波機器）
１２                    筐体（シールドケース）
１４                    端子
１６，６０，７０        同軸コネクタ（アンテナ入力端子）
１８，７２              外部導体
２０，７４              絶縁部材
２２，７６              中心導体
２４，７８              コネクタ部
２６，８０              リード部
２８，８２              コイル
３０，３２，８６，８８  リード線
３４                    空間
３６                    蓋部材
３８                    円板部
４０                    円筒部（円筒部材）
６２                    ナット
６４，９０              スリット
６６                    螺子溝
８４                    ボビン
【図１】
2011141971.tif 000003
【図２】
2011141971.tif 000004
【図３】
2011141971.tif 000005
【図４】
2011141971.tif 000006
【図５】
2011141971.tif 000007
【図６】
2011141971.tif 000008
【図７】
2011141971.tif 000009
【図８】
2011141971.tif 000010
【図９】
2011141971.tif 000011
【図１０】
2011141971.tif 000012
【図１１】
2011141971.tif 000013
【図１２】
2011141971.tif 000014
【図１３】
2011141971.tif 000015